(57)【特許請求の範囲】
【請求項１】
基板を有した開口と、
前記開口を開閉可能な先幕及び後幕と、
前記後幕を駆動可能な後幕レバーと、
前記先幕に連結され前記先幕を駆動可能な第１レバーと、
前記第１レバーと同軸上に配置され前記先幕が前記開口を開くように前記第１レバーを押圧可能に前記第１レバーに当接する係合部を有する第２レバーと、
前記先幕が前記開口を開いた状態となるように前記第１レバーを無通電で保持可能な自己保持型ソレノイドと、
前記第２レバー及び前記後幕レバーをそれぞれ通電により保持可能な先幕電磁石及び後幕電磁石と、
前記第２レバー及び後幕レバーがそれぞれ前記先幕電磁石及び後幕電磁石に当接するようにセットするセットレバーと、を備え、
前記先幕及び後幕が前記開口を開いた状態で前記第２レバー及び後幕レバーがセットされる第１モードと、前記先幕が前記開口を閉じ前記後幕が前記開口を開いた状態で前記第２レバー及び後幕レバーがセットされる第２モードとを、選択的に切り替え可能であり、
前記第１レバーは、前記先幕が前記開口を閉じるように第１付勢部材により付勢されており、
前記第２レバーは、前記先幕が前記開口を開くように前記第１レバーを押圧するように第２付勢部材により付勢されており、
前記第１モードにおいて、前記第２レバーがセットされた後、前記第２レバーが前記先幕電磁石に保持された状態で前記第１付勢部材の付勢力により前記第１レバーが移動して前記先幕が前記開口を閉じ、その後前記先幕電磁石への通電が遮断されて前記第２付勢部材の付勢力により前記第１レバーが前記第１付勢部材の付勢力に抗して移動して前記先幕が前記開口を開き、
前記第２モードにおいては、前記第２レバーがセットされた後、前記先幕電磁石への通電を遮断されて前記第２付勢部材の付勢力により前記第１レバーが前記第１付勢部材の付勢力に抗して移動して前記先幕が前記開口を開く、フォーカルプレーンシャッタ。
【請求項２】
前記第１モードにおいては、前記第１レバーは前記自己保持型ソレノイドにより保持された状態で前記第２レバーがセットされ、
前記第２モードにおいては、前記第１レバーは前記自己保持型ソレノイドから退避した状態で前記第２レバーがセットされる、請求項１のフォーカルプレーンシャッタ。
【請求項３】
前記第１レバーは、前記第２レバーが前記先幕電磁石に吸着保持された状態から前記先幕電磁石への通電が遮断されて前記第２付勢部材の付勢力により回転して無通電状態の前記自己保持型ソレノイドに当接する、請求項１又は２のフォーカルプレーンシャッタ。
【請求項４】
請求項１乃至３の何れかのフォーカルプレーンシャッタを備えた光学機器。
【発明の詳細な説明】
【技術分野】
【０００１】
本発明は、フォーカルプレーンシャッタ及び光学機器に関する。
【背景技術】
【０００２】
特許文献１には、先幕電磁石、後幕電磁石に加えて、先幕を開閉するレバーを無通電で保持可能なアクチュエータを備えたフォーカルプレーンシャッタが開示されている。
【先行技術文献】
【特許文献】
【０００３】
【特許文献１】特許第４０８６７０２号公報
【発明の概要】
【発明が解決しようとする課題】
【０００４】
特許文献１に開示されているアクチュエータは、ステータ、コイル、ロータを含む。このため、このようなアクチュエータを設けることによりフォーカルプレーンシャッタ自体の大きさが大型化する恐れがある。
【０００５】
そこで本発明は、大型化が抑制されたフォーカルプレーンシャッタ及び光学機器を提供することを目的とする。
【課題を解決するための手段】
【０００６】
上記目的は、基板を有した開口と、前記開口を開閉可能な先幕及び後幕と、前記後幕を駆動可能な後幕レバーと、前記先幕に連結され前記先幕を駆動可能な第１レバーと、前記第１レバーと同軸上に配置され前記先幕が前記開口を開くように前記第１レバーを押圧可能に前記第１レバーに当接する係合部を有する第２レバーと、前記先幕が前記開口を開いた状態となるように前記第１レバーを無通電で保持可能な自己保持型ソレノイドと、前記第２レバー及び前記後幕レバーをそれぞれ通電により保持可能な先幕電磁石及び後幕電磁石と、前記第２レバー及び後幕レバーがそれぞれ前記先幕電磁石及び後幕電磁石に当接するようにセットするセットレバーと、を備え、前記先幕及び後幕が前記開口を開いた状態で前記第２レバー及び後幕レバーがセットされる第１モードと、前記先幕が前記開口を閉じ前記後幕が前記開口を開いた状態で前記第２レバー及び後幕レバーがセットされる第２モードとを、選択的に切り替え可能である、フォーカルプレーンシャッタによって達成できる。
【０００７】
上記構成において、ロータを有したアクチュエータを用いる代わりに自己保持型ソレノイドを採用することにより、フォーカルプレーンシャッタの大型化を抑制できる。
【０００８】
上記目的は、上記フォーカルプレーンシャッタを備えた光学機器によっても達成できる。
【発明の効果】
【０００９】
本発明によれば、大型化が抑制されたフォーカルプレーンシャッタ及び光学機器を提供できる。
【図面の簡単な説明】
【００１０】
【図１】本実施例に係るフォーカルプレーンシャッタの正面図。
【図２】図１における、第１レバー、第２レバー周辺の拡大図。
【図３】第１レバー、第２レバー周辺の構造を示した分解斜視図。
【図４】第１レバー、第２レバー周辺の構造を示した分解斜視図。
【図５】第１レバー、第２レバー周辺の構造を示した側面図。
【図６】第１モードでのフォーカルプレーンシャッタのタイミングチャート。
【図７】第１モードでのフォーカルプレーンシャッタの動作の説明図。
【図８】第１モードでのフォーカルプレーンシャッタの動作の説明図。
【図９】図８における、第１レバー、第２レバー周辺の拡大図。
【図１０】第１モードでのフォーカルプレーンシャッタの動作の説明図。
【図１１】図１０における、第１レバー、第２レバー周辺の拡大図。
【図１２】第１モードでのフォーカルプレーンシャッタの動作の説明図。
【図１３】第１モードでのフォーカルプレーンシャッタの動作の説明図。
【図１４】第２モードでのフォーカルプレーンシャッタのタイミングチャート。
【図１５】第２モードでのフォーカルプレーンシャッタの動作の説明図。
【図１６】第２モードでのフォーカルプレーンシャッタの動作の説明図。
【図１７】第２モードでのフォーカルプレーンシャッタの動作の説明図。
【図１８】第２モードでのフォーカルプレーンシャッタの動作の説明図。
【発明を実施するための形態】
【００１１】
以下、図面を参照して本発明に係る実施例を説明する。
図１は、本実施例に係るフォーカルプレーンシャッタの正面図である。図１に示すように、フォーカルプレーンシャッタ１は、基板１０、先幕２０ａ、後幕２０ｂ、アーム３１ａ、３１ｂ、第１レバー４０、第２レバー５０、後幕駆動レバー６０、先幕電磁石（以下、電磁石と称する）７０ａ、後幕電磁石（以下、電磁石と称する）７０ｂ、自己保持型ソレノイド（以下、ソレノイドと称する）８０、セットレバー９０を有している。基板１０は、合成樹脂製である。基板１０は、略矩形状の開口１１を有している。
【００１２】
先幕２０ａは、４枚の羽根から構成されるが、図面においては１枚の羽根２１ａのみを示している。後幕２０ｂも同様に、４枚の羽根から構成されるが、図面においては１枚の羽根２１ｂのみを示している。尚、先幕２０ａ、後幕２０ｂは、それぞれ５枚の羽根から構成されるものであってもよいし、３枚又は２枚の羽根から構成されるものでもよい。図１は、先幕２０ａが重畳状態であり後幕２０ｂが展開状態の場合を示している。図１の場合には、先幕２０ａは開口１１を開くように開口１１から退避し、後幕２０ｂが開口１１を閉鎖している。
【００１３】
図１に示すように、先幕２０ａは、２本のアームに連結されているが、図面においては１本のアーム３１ａのみを示している。同様に、後幕２０ｂは、２本のアームに連結されているが、図面においては１本のアーム３１ｂのみを示している。これらアーム３１ａ、３１ｂは、それぞれ基板１０に揺動自在に支持されている。
【００１４】
図１に示すように、基板１０には、アーム３１ａを駆動するための第１レバー４０、第２レバー５０、アーム３１ｂを駆動するための後幕駆動レバー６０が設けられている。第１レバー４０、第２レバー５０については後述する。後幕駆動レバー６０は、筒部６５を有している。筒部６５は、基板１０に形成された軸部１５ｂに回転可能に嵌合している。これにより、後幕駆動レバー６０は、基板１０に所定範囲を揺動可能に支持される。後幕駆動レバー６０には、駆動ピン６３が設けられている。基板１０には、駆動ピン６３の移動を逃す逃げ孔１３ｂが設けられている。逃げ孔１３ｂは、円弧状である。駆動ピン６３は、アーム３１ｂの嵌合孔に嵌合している。後幕駆動レバー６０が揺動することにより、アーム３１ｂが揺動し、これにより後幕２０ｂが移動する。
【００１５】
後幕駆動レバー６０は、可動鉄片６７を保持している。後幕駆動レバー６０は、可動鉄片６７が電磁石７０ｂに当接した位置から、可動鉄片６７が電磁石７０ｂから退避した位置の間を揺動可能である。筒部６５周囲には、不図示の付勢バネが嵌合している。付勢バネは、可動鉄片６７が電磁石７０ｂから離れる方向に後幕駆動レバー６０を付勢している。即ち、付勢バネは、後幕２０ｂが開口１１を閉じるように後幕駆動レバー６０を付勢している。
【００１６】
電磁石７０ｂは、通電されることにより可動鉄片６７を吸着可能となる。電磁石７０ｂは、鉄芯７１ｂと、鉄芯７１ｂを励磁するために鉄芯７１ｂに巻回されたコイルとを備えている。図面においては、鉄芯７１ｂのみを示している。コイルが通電されることにより、鉄芯７１ｂが磁気的吸引力を生じ、鉄芯７１ｂは可動鉄片６７を吸着可能となる。可動鉄片６７が鉄芯７１ｂに当接した状態では、後幕２０ｂは開口１１を開く。
【００１７】
次に、第１レバー４０、第２レバー５０について説明する。図２は、図１における、第１レバー４０、第２レバー５０周辺の拡大図である。図３、図４は、第１レバー４０、第２レバー５０周辺の構造を示した分解斜視図である。図５は、第１レバー４０、第２レバー５０周辺の構造を示した側面図である。尚、図２〜図４においては、第１レバー４０にハッチングを付している。
【００１８】
第１レバー４０は、アーム３１ａに嵌合した駆動ピン４３を有している。基板１０には、駆動ピン４３を逃がす円弧状の逃げ孔１３ａが形成されている。第１レバー４０には、孔４５が形成されており、孔４５には、基板１０に形成された軸部１５ａが貫通している。これにより、第１レバー４０は、軸部１５ａに回転可能に嵌合している。第１レバー４０は、可動鉄片４７を保持している。
【００１９】
バネＳ１は、コイル状のバネであり、バネＳ１の一端Ｓ１１は、基板１０に形成された係止部１８により係止されている。バネＳ１の他端Ｓ１２は、図２、図５に示すように、第１レバー４０に係合するように折り曲げられている。バネＳ１は、第１レバー４０を反時計方向に付勢している。換言すれば、バネＳ１は、先幕２０ａが開口１１を閉じるように第１レバー４０を付勢している。バネＳ１は、第１付勢部材に相当する。第１レバー４０は、径方向外側に突出した係合部４８を有している。
【００２０】
第２レバー５０は、第１レバー４０と同軸上に配置されている。詳細には、第２レバー５０は、第１レバー４０が回転可能に嵌合している軸部１５ａと共通に回転可能に嵌合している。第２レバー５０は、軸部１５ａに嵌合する筒部５５を有している。軸部１５ａに、第１レバー４０の孔４５が嵌合し第２レバー５０の筒部５５が嵌合することにより、第１レバー４０、第２レバー５０は同軸上に配置される。第２レバーは、可動鉄片５７を保持している。バネＳ２は、筒部５５周囲に設けられている。バネＳ２は、コイル状のスプリングである。バネＳ２の線径は、バネＳ１の線径よりも大きく、また、バネＳ２の全長は、バネＳ１の全長よりも長くなっており、同一の変形量に対して、バネＳ２の弾性復元力は、バネＳ１の弾性復元力よりも大きい。
【００２１】
バネＳ２の一端Ｓ２１は、図５に示すラチェット歯車１００ａに係止されている。ラチェット歯車１００ａは、軸部１５ａに回転可能に嵌合している。ラチェット歯車１００ａは、外周部に複数の歯部が形成されている。また、押え板１１０には、歯部に係合可能な不図示の係止爪が設けられている。係止爪がラチェット歯車１００ａの歯部を係止することにより、ラチェット歯車１００ａがバネＳ２の付勢力に従って回転することを防止している。即ち、係止爪がラチェット歯車１００ａを固定している。他端Ｓ２２は、図２に示すように、第２レバー５０に係止されている。バネＳ２は、第２レバー５０を時計方向に付勢している。ラチェット歯車１００ａの回転量を調整することにより、バネＳ２の付勢力を調整することができる。バネＳ２は、第２付勢部材に相当する。
【００２２】
第２レバー５０は、第１レバー４０の係合部４８と当接可能な係合部５８が形成されている。係合部４８と係合部５８とが当接した状態で第２レバー５０が時計方向に回転すると、第２レバー５０と共に第１レバー４０も時計方向に回転する。また、第１レバー４０、第２レバー５０は、係合部４８、５８が離間するように、第２レバー５０が第１レバー４０に対して反時計方向に回転可能である。
【００２３】
電磁石７０ａは、電磁石７０ｂと略同様の構成であり、鉄芯７１ａと、鉄芯７１ａを励磁するために鉄芯７１ａに巻回されたコイルとを備えている。図面においては、コイルは省略してある。鉄芯７１ａは、略コ字状である。鉄芯７１ａに巻回されたコイルが通電されることにより、鉄芯７１ａは、第２レバー５０の可動鉄片５７を吸着可能となる。
【００２４】
ソレノイド８０は、無通電で第１レバー４０の可動鉄片４７を吸着保持可能である。ソレノイド８０は、側面視で略コ字状のヨーク８１、ヨーク８１に組み付けられた永久磁石８５、ヨーク８１に巻回された不図示のコイル、を含む。ヨーク８１には永久磁石８５が組み付けられているので、永久磁石８５の影響によりヨーク８１には所定の極性が生じている。これにより、ソレノイド８０は無通電で第１レバー４０の可動鉄片４７を吸着することができる。また、永久磁石８５によりヨーク８１に生じている極性を相殺するようにソレノイド８０のヨーク８１に巻回されたコイルに通電してヨーク８１が励磁されると、ヨーク８１と可動鉄片４７との間の磁気的吸引力が弱まる。従って、第１レバー４０の可動鉄片４７がヨーク８１に当接した状態でソレノイド８０のコイルが通電されると、ヨーク８１と可動鉄片４７との間に作用する磁気的吸引力がバネＳ１の付勢力を下回り、第１レバー４０はバネＳ１の付勢力に従って反時計方向に回転しソレノイド８０から退避する。
【００２５】
次に、セットレバー９０について説明する。セットレバー９０は、第２レバー５０、後幕駆動レバー６０がそれぞれ電磁石７０ａ、７０ｂに当接するようにセットするためのものである。セットレバー９０は、基板１０に回転可能に支持されている。セットレバー９０は、カメラ側に設けられたチャージ部材により押圧される被押圧部９３を有している。セットレバー９０は、押圧部９４、９６を有している。被押圧部９３、押圧部９４、９６は、セットレバー９０の回転中心から外側に突出している。図１に示すように、第２レバー５０、後幕駆動レバー６０は、それぞれローラ５４、６４を有している。
【００２６】
被押圧部９３がカメラ側のチャージ部材に押されることにより、セットレバー９０が時計方向に回転する。これに伴い、押圧部９４、９６がそれぞれローラ５４、６４に当接して、第２レバー５０、後幕駆動レバー６０を反時計方向に移動させる。これにより、第２レバー５０、後幕駆動レバー６０を、それぞれ電磁石７０ａ、７０ｂに当接させることができる。尚、セットレバー９０には、セットレバー９０を初期位置に復帰するための復帰バネ（不図示）が取り付けられている。復帰バネは、セットレバー９０を反時計方向に付勢している。図１に示したセットレバー９０は、初期位置に位置付けられている。基板１０には、復帰バネにより反時計方向に付勢されたセットレバー９０を初期位置に位置付けるための位置決め部が設けられている。
【００２７】
次に、フォーカルプレーンシャッタ１の動作について説明する。フォーカルプレーンシャッタ１は、第１及び第２モードを選択的に切り替え可能である。第１モードでは、先幕２０ａ及び後幕２０ｂが開口１１を開いた状態で第２レバー５０及び後幕駆動レバー６０がセットされる。第２モードでは、先幕２０ａが開口１１を閉じ後幕２０ｂが開口１１を開いた状態で第２レバー５０及び後幕駆動レバー６０がセットされる。最初に第１モードでのフォーカルプレーンシャッタ１の動作について説明する。
【００２８】
第１モードについて図１、図６〜図１３を用いて説明する。図６は、第１モードでのフォーカルプレーンシャッタ１のタイミングチャートである。図１は、初期状態を示している。初期状態では、第１レバー４０の可動鉄片４７がソレノイド８０に保持され、先幕２０ａは開口１１から退避した開口１１を開いており、後幕２０ｂは開口１１を閉じている。初期状態からセットレバー９０が時計方向に回転させられると、図７に示すように、セットレバー９０の押圧部９４、９６は、それぞれ第２レバー５０のローラ５４、後幕駆動レバー６０のローラ６４に当接して、第２レバー５０、後幕駆動レバー６０を反時計方向に回転させる。図８に示すように、セットレバー９０は、第２レバー５０の可動鉄片５７が電磁石７０ａに当接し、後幕駆動レバー６０の可動鉄片６７が電磁石７０ｂに当接するまで、第２レバー５０、後幕駆動レバー６０を反時計方向に回転させる。
【００２９】
ここで、第１レバー４０の可動鉄片４７はソレノイド８０に吸着保持された状態のまま、第２レバー５０が反時計方向に回転させられる。このため、図８に示すように、先幕２０ａは開口１１を開いた状態のままであり、後幕２０ｂは開口１１から退避して開口１１を開いた状態にする。これにより、第２レバー５０、後幕駆動レバー６０のセットは終了する。図９は、第１モードでのセット状態での第１レバー４０、第２レバー５０の周辺の拡大図である。このように、可動鉄片５７が電磁石７０ａに当接し、可動鉄片４７はソレノイド８０に当接している。図１、図７〜図９の状態は、図６のタイミングチャートに示した状態１の開放状態に相当する。
【００３０】
この状態でカメラのレリーズスイッチが押されると、ソレノイド８０のコイルが通電させられる。これにより、ヨーク８１と可動鉄片４７との間に作用していた磁気的吸引力がバネＳ１の付勢力を下回り、図１０に示すように第１レバー４０はバネＳ１の付勢力に従って反時計方向に回転する。これにより、先幕２０ａは開口１１を閉じる。図１１は、図１０における第１レバー４０、第２レバー５０周辺の拡大図である。図１１に示すように、係合部４８、５８が当接している。図１０、図１１の状態は、図６のタイミングチャートに示した状態２の閉じ状態に相当する。
【００３１】
次に、電磁石７０ａ、７０ｂが通電される。これにより、可動鉄片５７、６７は、それぞれ電磁石７０ａ、７０ｂに吸着され、第２レバー５０、後幕駆動レバー６０は、図１０に示した状態に維持される。次に、図１２に示すように、セットレバー９０を押圧していたカメラ側のチャージ部材がセットレバー９０から退避し、セットレバー９０は復帰バネの付勢力に従って反時計方向に回転して初期位置に戻る。これにより、押圧部９４、９６は、それぞれローラ５４、６４から退避する。図１２に示した状態は、図６のタイミングチャートに示した状態３の閉じ状態に相当する。
【００３２】
次に、電磁石７０ａの通電が遮断され、図１３に示すように第１レバー４０、第２レバー５０は、共に時計方向に回転し、先幕２０ａは開口１１から退避して開口１１を開く。第１レバー４０、第２レバー５０は、バネＳ２の付勢力にしたがって時計方向に回転する。尚、バネＳ２は、第２レバー５０にのみ作用しているが、図１１に示したように、第１レバー４０の係合部４８と第２レバー５０の係合部５８とが係合しているため、第２レバー５０が時計方向に回転することにより、係合部５８も時計方向に回転して係合部４８を時計方向に押す。これにより、第２レバー５０と共に第１レバー４０が時計方向に回転する。図１３は、露出中の状態を示している。図１３に示した状態は、図６のタイミングチャートに示した状態４の開放状態に相当する。
【００３３】
尚、この際、第１レバー４０の可動鉄片４７は、ソレノイド８０のヨーク８１に当接する。ソレノイド８０が無通電の場合に、ソレノイド８０のヨーク８１と可動鉄片４７との間に磁気的吸引力が作用するため、ヨーク８１に可動鉄片４７が当接したときの第１レバー４０のバウンドが抑制される。これにより、第１レバー４０がバウンドして先幕２０ａが再び開口１１の一部を覆うことを防止できる。よって、第１レバー４０のバウンドに起因する画質への影響を抑制できる。
【００３４】
次に、電磁石７０ｂへの通電が遮断され、後幕駆動レバー６０は不図示のバネにより時計方向に回転し、後幕２０ｂは開口１１を閉じる。これにより、フォーカルプレーンシャッタ１の状態は図１に示した初期状態に戻る。このようにして、第１モードでの露出動作が行なわれる。
【００３５】
以上のように、第１モードにおいては、開口１１を開いた状態で、第２レバー５０、後幕駆動レバー６０がセットされる。従って、例えば、撮像素子からの出力を液晶モニター等にリアルタイムに映し出すライブビューモード時に写真撮影を行う場合には、第１モードが適している。
【００３６】
次に、第２モードについて、図１、図１４〜１８を用いて説明する。図１４は、第２モードでのフォーカルプレーンシャッタ１のタイミングチャートである。図１に示した初期状態から、永久磁石８５によりヨーク８１に生じている極性を相殺するようにソレノイド８０のヨーク８１に巻回されたコイルに通電する。これにより、ソレノイド８０のヨーク８１と第１レバー４０の可動鉄片４７との間に作用している磁気的吸着力が弱まる。この状態で、カメラ側のチャージ部材によりセットレバー９０を時計方向に回転させると、図１５に示すように、セットレバー９０の押圧部９４、９６は、それぞれローラ５４、６４に当接して、第２レバー５０、後幕駆動レバー６０を反時計方向に回転させる。この際、ヨーク８１と可動鉄片４７との間の磁気的吸引力は弱められているので、第１レバー４０は、バネＳ１の付勢力に従って第２レバー５０と共に反時計方向に回転する。
【００３７】
これにより、図１６に示すように、可動鉄片５７、６７は、それぞれ鉄芯７１ａ、７１ｂに当接する。第１レバー４０は第２レバー５０に連動して反時計方向に回転しているので、先幕２０ａが開口１１を閉じ、後幕２０ｂが開口１１を開いた状態となる。このように、先幕２０ａが開口１１を閉じ、後幕２０ｂが開口１１を開いた状態で、第２レバー５０、後幕駆動レバー６０がセットされる。図１、図１５、図１６の状態は、図１４のタイミングチャートに示した状態１の閉じ状態に相当する。尚、図１６は、図１０と同じである。
【００３８】
次に、レリーズスイッチが押されると、所定期間経過後に電磁石７０ａ、７０ｂが通電され、可動鉄片５７、６７は、それぞれ鉄芯７１ａ、７１ｂに吸着される（図１４のタイミングチャートに示した状態２に相当）。次に、図１７に示すように、カメラ側のチャージ部材がセットレバー９０から退避してセットレバー９０は、不図示の復帰バネの付勢力により反時計方向に回転して初期位置に戻る。図１７の状態は、図１４のタイミングチャートに示した状態３の閉じ状態に相当する。尚、図１７は、図１２と同じである。
【００３９】
次に、電磁石７０ａへの通電が遮断されることにより、鉄芯７１ａと可動鉄片５７との間に作用していた磁気的吸引力が低減し、図１８に示すように、第２レバー５０は、バネＳ２の付勢力に従って時計方向に回転する。尚、この際、第１レバー４０も第２レバー５０に連動して時計方向に回転する。これにより、先幕２０ａが開口１１から退避して開口１１を開く。図１８の状態は、図１４のタイミングチャートの状態４の開放状態に相当する。尚、図１８は、図１３と同じである。
【００４０】
次に、電磁石７０ｂへの通電が遮断されることにより、後幕駆動レバー６０が時計方向に回転して、後幕２０ｂが開口１１を閉じる。これにより、フォーカルプレーンシャッタ１の状態は図１に示した初期状態に戻る。このようにして、第２モードでの露出動作が行なわれる。
【００４１】
以上のように、第２モードにおいては、開口１１を閉じた状態で、第２レバー５０、後幕駆動レバー６０がセットされる。従って、例えば、連続して写真を撮影する場合には、撮影するたびに撮像素子からの出力を液晶モニター等に表示する必要性は乏しい。従って、このような連続撮影時においては、第２モードが適している。
【００４２】
また、第１モードにおいては、図６に示すように、開口１１が開いているセット状態から、開口１１を閉じるように先幕２０ａを移動させて、その後に、先幕２０ａを開口１１から退避させて開口１１を開き、次に後幕２０ｂにより開口１１を閉じることにより撮影が行なわれる。しかしながら、第２モードにおいては、図６に示すように、先幕２０ａにより開口１１が閉じられたセット状態から、先幕２０ａを開口１１から退避させて開口１１を開き、次に後幕２０ｂにより開口１１を閉じることにより、撮影が行なわれる。このように、第１モードにおいては、第２モードと比較して、セット完了後先幕２０ａで一度開口１１を閉じる必要がある。このため、連続撮影時においては、第１モードよりも第２モードの方が、一定期間内に多くの撮影を行うことができる。
【００４３】
以上のように、本実施例のフォーカルプレーンシャッタ１は、ソレノイド８０への通電を制御することにより、第１及び第２モードとを選択的に切り替えることができる。これにより、単一のフォーカルプレーンシャッタで、撮影態様に適したモードを選択できる。
【００４４】
尚、本実施例のフォーカルプレーンシャッタ１はソレノイド８０を採用しているが、例えば、ソレノイド８０の代わりに、ステータ、コイル、ロータを有したアクチュエータを用いることが考えられる。しかしながら、このようなアクチュエータを採用すると装置全体が大型化する。本実施例のフォーカルプレーンシャッタ１は、無通電で第１レバー４０を吸着保持可能なソレノイド８０を採用することにより、装置全体が大型化することを抑制している。
【００４５】
また、ロータを備えるアクチュエータを採用した場合、ロータの回転トルクは、ロータの位置に応じて大きく変動する。このため、ロータの回転トルクの変動により、ロータにより駆動する幕の移動速度の変動度合も大きくなり、画質に影響を与える恐れがある。本実施例では、バネＳ２の付勢力により第１レバー４０が移動するため、第１レバー４０の移動速度が略一定であり、これにより先幕２０ａの移動速度も一定になる。よって、本実施例のフォーカルプレーンシャッタ１は、画質への影響は少ない。
【００４６】
また、このようなアクチュエータを採用した場合、コイルへの通電によりロータが回転するため、ロータを回転させる毎にコイルを通電する必要があり、消費電力が増大する恐れがある。本実施例のフォーカルプレーンシャッタ１の場合、ソレノイド８０は無通電で第１レバー４０を吸着保持可能であり、第１レバー４０をソレノイド８０から退避させたい場合に限り、ソレノイド８０を通電することにより、第１レバー４０はバネＳ１の付勢力に従ってソレノイド８０から退避する。このため、消費電力が抑制される。
【００４７】
また、このようなアクチュエータを採用した場合、ロータを正逆転可能にするためには、コイルへの通電の方向を正方向と逆方向とに切り替える必要がある。このため、コイルへの通電制御が煩雑になる恐れがある。本実施例の場合、ソレノイド８０を採用しているので、ソレノイド８０のコイルへの通電方向は一通りでよい。これにより、ソレノイド８０のコイルの通電制御が簡易化される。
【００４８】
また、このようなアクチュエータを採用した場合、無通電時にはディテントトルクによりロータが所望の位置に保持される。このため、例えば装置に衝撃が加わった場合には、ロータが回転して所望位置からずれる恐れがある。本実施例の場合、ソレノイド８０と第１レバー４０との間に作用する磁気的吸引力は、このようなアクチュエータのロータに作用するディテントトルクよりも大きいものにすることができる。これにより、衝撃が加えられた場合の誤作動が防止される。
【００４９】
以上本発明の好ましい実施形態について詳述したが、本発明は係る特定の実施形態に限定されるものではなく、特許請求の範囲に記載された本発明の要旨の範囲内において、変形・変更が可能である。
【００５０】
第１モードにおいては、図６に示すように、開口１１が開いているセット状態から、開口１１を閉じるように先幕２０ａを移動させて、その後に、先幕２０ａを開口１１から退避させて開口１１を開き、次に後幕２０ｂにより開口１１を閉じることにより撮影が行なわれる例を示したが、先幕２０ａの代わりにカメラ側に設けられた画像センサの電子先幕を用い、メカニカルなシャッタは後幕２０ｂの動作のみで撮像を行う電子先幕モードとして使用してもよい。例えば、図６に示す開口１１が開いているセット状態から先幕２０ａを移動させず、画像センサが後幕２０ｂの走行方向と直交するラインごとに順次画像信号を蓄積していくと共に、所望の露出時間経過後に開口１１を閉じるメカニカルな後幕２０ｂと同調して露光することにより撮影が行なわれてもよい。これにより、ライブビューモード時にシャッタ全開からのメカ作動が後幕２０ｂの走行のみで露光制御するので、極めて静かな撮影ができる。また、電子先幕モードは、第１モードにおいて第１レバー４０による先幕２０ａの開口１１の閉動作の有無、具体的にはソレノイド８０のコイルへの通電の有無、のみが異なるモードである。上述したように、ソレノイド８０のコイルへの通電方向は一通りでよく、またその通電制御が簡易化されている。したがって、本発明のフォーカルプレーンシャッタは第１モード、第２モードに加え、カメラ側の電子先幕撮影モードにも容易に対応可能である。
【００５１】
上記実施例において、バネＳ１は、先幕２０ａが開口１１を閉じるように先幕２０ａを付勢している。バネＳ１の一端Ｓ１１は基板１０側に係止され、他端Ｓ１２は第１レバー４０側に係止されている。しかしながらバネＳ１はこのような構成に限定されない。例えば、バネＳ１の一端Ｓ１１は、第２レバー５０側に係止され、バネＳ１の他端Ｓ１２が第１レバー４０側に係止され、第２レバー５０がセットされた状態で第１レバー４０が第２レバー５０に向けて回転するように付勢されているものであってもよい。例えば、バネＳ１の一端Ｓ１１を係合部５８に係止させ、バネＳ１の他端Ｓ１２を係合部４８に係止させ、バネＳ１が係合部４８と係合部５８とが当接するように付勢してもよい。
【００５２】
本実施例のフォーカルプレーンシャッタ１を備えた光学機器は、例えば一眼レフカメラやデジタルカメラ等である。本実施例のフォーカルプレーンシャッタ１は、デジタルカメラに採用できるが、デジタルカメラ以外の、銀塩フィルム式カメラにも採用できる。即ち、本実施例のフォーカルプレーンシャッタ１は、デジタルカメラ及び銀円フィルム式カメラの何れにも採用でき、両カメラ間でシャッタを共通化できる。
【符号の説明】
【００５３】
１  フォーカルプレーンシャッタ
１０  基板
２０ａ  先幕
２０ｂ  後幕
２１ａ、２１ｂ  羽根
３１ａ、３１ｂ  アーム
４０  第１レバー
４８、５８  係合部
５０  第２レバー
６０  後幕駆動レバー
４７、５７、６７  可動鉄片
４８  係合部
７０ａ、７０ｂ  電磁石
８０  自己保持型ソレノイド
Ｓ１  バネ（第１付勢部材）
Ｓ２  バネ（第２付勢部材）
【図１】
0005191518.tif 000002
【図２】
0005191518.tif 000003
【図３】
0005191518.tif 000004
【図４】
0005191518.tif 000005
【図５】
0005191518.tif 000006
【図６】
0005191518.tif 000007
【図７】
0005191518.tif 000008
【図８】
0005191518.tif 000009
【図９】
0005191518.tif 000010
【図１０】
0005191518.tif 000011
【図１１】
0005191518.tif 000012
【図１２】
0005191518.tif 000013
【図１３】
0005191518.tif 000014
【図１４】
0005191518.tif 000015
【図１５】
0005191518.tif 000016
【図１６】
0005191518.tif 000017
【図１７】
0005191518.tif 000018
【図１８】
0005191518.tif 000019